(57)【要約】  【課題】  内部配線の着脱を行うことなくリヤカバー１２２を容易に取り外すことのできるエンジン駆動型発電機を提供する。  【解決手段】  発電機本体３の端部カバー３１が，ボンネット１２のリヤカバー１２２と対向するように，発電機本体３をパッケージ内に収容すると共に，このパッケージ１０内に，前記発電機本体３を跨ぐ架台２０を収容する。そして，外部配線を接続する接続端子７１を備えた出力端子盤７を，前記発電機本体３の上方において前記架台２０に固着して，リヤカバー１２２に形成した開口４２内にこの出力端子盤７を嵌合して，ボンネット１２外に露出させる。  このように，出力端子盤７は，リヤカバー１２２に固着されていないことから，リヤカバー１２２を基台フレーム１１及びトップカバー１２３より取り外しても，出力端子盤７に接続された内部配線の脱着を必要としない。【選択図】  図２
2007267546.tif 000002
【特許請求の範囲】
【請求項１】
発電機本体及び前記発電機本体を駆動するエンジンを載置した基台フレームと，前記基台フレーム上において前記エンジン及び圧縮機本体を包囲するボンネットにより構成されたパッケージを備え，前記パッケージ内に前記発電機本体を，該発電機本体の端部カバーが前記ボンネットの側壁中の一の側壁と対向するように配置したエンジン駆動型発電機において，
前記基台フレームより立設された複数の脚部と，該脚部の上端間に架設された横架材によって構成され，前記発電機本体上を跨ぐ架台を前記パッケージ内に収容し，
外部配線を接続する接続端子を備えた出力端子盤を，前記発電機本体の上方において前記架台に固着すると共に，前記一の側壁に，前記出力端子盤が嵌合される開口を形成し，
前記一の側壁の，前記開口を含む少なくとも下側の部分を，前記ボンネットより着脱可能に構成したことを特徴とするエンジン駆動型発電機。
【請求項２】
前記開口の周縁をボンネット内部方向に陥没させて陥没部を形成したことを特徴とする請求項１記載のエンジン駆動型発電機。
【請求項３】
前記出力端子盤の下側端より突出する舌片を設けると共に，ボンネットに対する前記一の側壁の取り付け時，前記ボンネット内部側における前記開口の下側縁を，シール材を介して前記舌片に接触させたことを特徴とする請求項１又は２記載のエンジン駆動型発電機。
【請求項４】
前記架台の前記横架材上に，前記一の側壁に対向させて操作パネルを配置し，前記操作パネルが対向する位置において前記一の側壁に前記操作パネルの形状に対応した形状の開口を形成すると共に，ボンネットの前記一の側壁全体を着脱可能としたことを特徴とする請求項１〜３いずれか１項記載のエンジン駆動型発電機。
【発明の詳細な説明】
【技術分野】
【０００１】
本発明は，エンジン駆動型発電機に関し，より詳細にはパッケージ内に発電機本体と，この発電機本体を駆動するエンジンとを収容したエンジン駆動型発電機において，前記発電機本体により発生した電力を外部接続機器に取り出すための出力端子盤の配置構造に特徴を有するエンジン駆動型発電機に関する。
【背景技術】
【０００２】
発電機本体とこの発電機本体を駆動するためのエンジン，燃料タンク，その他必要な機器をパッケージ内に収容した可搬式のパッケージ型エンジン駆動型発電機は，工事現場やイベント会場，災害の被災地等において電力を得るために広く使用されている。
【０００３】
このようなエンジン駆動型発電機のパッケージは，一般に前述のエンジンや発電機本体，その他の必要な機器を載置する基台フレームと，この基台フレーム上を覆って前記エンジンや発電機本体等を収容するボンネットによって構成された箱型を成し，このようにして形成されたパッケージ内に前述のエンジンや発電機本体，燃料タンク，その他必要な機器を収容することで，パッケージ内に収容した機器を風雨より保護すると共に，エンジンや発電機本体を駆動した際に発生した騒音が外部に漏出することを防止している。
【０００４】
以上のように構成されたエンジン駆動型発電機では，発電に必要な前記発電機本体及びエンジン等の機器の他，前述のエンジンや発電機を制御するための制御盤が設けられていると共に，このような制御盤に対して必要な指令を入力するためのスイッチ類や計器盤等を備えた操作パネルが設けられている。
【０００５】
また，発電機本体が発生した電力を外部接続機器に供給するために，外部配線を接続するための出力端子盤が設けられている。
【０００６】
このうち，前述の操作パネルはパッケージ外からの操作や目視を行う必要があり，また，出力端子盤に対しては，パッケージ外から外部配線の接続作業を行うことが必要であることから，操作パネル及び出力端子盤は，パッケージ外からの操作等に適した位置に設ける必要がある。
【０００７】
そこで図６に示すように，一例として発電機本体３とエンジン（図示せず）とを一体的に形成したものを前記パッケージ１０内に収容したエンジン駆動型発電機１において，ボンネット１２の側壁中，前記発電機本体３の端面（端部カバー３１）と対向する一の側壁１２２の上方側に，前述の操作パネル５用の開口４１を形成し，この開口４１の形成位置における前記ボンネット側壁１２２の内面に前述の操作パネル５を取り付けると共に，操作パネル５の取り付け位置の下方において，前記ボンネット側壁１２２に出力端子盤７用の開口４２を形成し，この開口４２の形成位置におけるボンネット側壁１２２の内面に出力端子盤７を取り付けて，前記開口４２を介してボンネット１２の外側より，前記出力端子盤７の端子７１に外部配線を接続可能としたものがある（特許文献１参照）。
【０００８】
この発明の先行技術文献情報としては次のものがある。
【特許文献１】実用新案登録第２５７１３６８号公報
【発明の開示】
【発明が解決しようとする課題】
【０００９】
以上のように構成されたエンジン駆動型発電機１において，前述の発電機本体３はエンジンと連結される側とは反対側の端部において開口する円筒状のケーシング内に固定子及び回転子を収容すると共に，このケーシングの端部開口を端部カバー３１で覆った構成を備えている。
【００１０】
この端部カバー３１には，前述の回転子が取り付けられたロータ軸を支承する軸受が設けられていると共に，発電機本体３のケーシング内に冷却風を導入するための吸気口３２（図３参照）が形成され，この吸気口３２を介してケーシング内に冷却風の導入を行うことができるように構成されている。
【００１１】
このように構成された発電機本体３では，これを駆動すると発電機本体３のケーシング内に前記吸気口３２を介して冷却風が導入される。
【００１２】
そして，このようにして発電機本体３のケーシング内に冷却風が導入されると，この冷却風と共にケーシング内にはゴミや埃が導入されるため，運転時間の経過と共に固定子及び回転子の巻き線にゴミや埃が堆積すると，前記巻き線が絶縁不良等を起こす原因となる。
【００１３】
そのため，このようなエンジン駆動型発電機１にあっては，パッケージ１０内に収容されている発電機本体３を定期的に点検して，巻き線にゴミや埃等が堆積している場合にはエアブロー等によってこれを除去する等のメンテナンスが必要となる。
【００１４】
また，前述の端部カバー３１に設けられている軸受に対する点検やメンテナンスも必要で，前記軸受からの油漏れの点検を行い，また，軸受の摩耗状態等を点検して必要に応じて軸受の交換等を行うと共に，使用する軸受が給脂タイプの軸受である場合には，定期的に給脂を行う等のメンテナンスが必要となる。
【００１５】
このような発電機本体３の点検やメンテナンスを行うために，前述のボンネット１２の側壁中，前記発電機本体３の端部カバー３１と対向する一の側壁１２２を着脱可能に構成して，点検，メンテナンス時にはこれを取り外し，発電機本体３の端部カバー３１を露出させて前述の点検やメンテナンスを行うことが一般的に行われている。
【００１６】
しかし，発電機本体３の端部カバー３１と対向する前記側壁１２２には，前述の特許文献１として説明したように操作パネル５や出力端子盤７が取り付けられていると共に，操作パネル５や出力端子盤７の背面には内部配線が接続されていることから，ボンネット１２の前記側壁１２２を取り外そうとすると，これらの内部配線を操作パネル５や出力端子盤７から取り外す必要がある。
【００１７】
しかも，このようにして取り外した内部配線は，ボンネット１２の前記側壁１２２を再度取り付ける際に元の状態に正確に接続し直す必要があり，これらの配線作業が極めて煩雑である。
【００１８】
以上のような配線作業を行うことなく発電機本体３の点検を行うために，発電機本体３の端部カバー３１と対向するボンネットの前記側壁１２２に，前記操作パネル５及び出力端子盤７の取り付け位置よりも下側の部分で開口を形成して点検口とし（図示せず），この点検口を塞ぐ点検口カバー（図示せず）を設け，端部カバー３１と対向する側壁１２２全体を外すことなく，点検口カバーを外すのみで内部を点検できるように構成したエンジン駆動型発電機も提案されている。
【００１９】
しかし，ボンネット１２の前記側壁１２２のうち，このような点検口を設けることができる部分は比較的狭く，設けられた点検口を介して発電機本体３を目視等により点検することはできたとしても，端部カバー３１を取り外して軸受を交換したり，また，エアブローを行うための空間を確保することができない。
【００２０】
特に，前述した特許文献１に記載のエンジン駆動型発電機１にあっては，出力端子盤７を収容した端子盤ケース５０’を，前記開口４２の形成位置における前記ボンネット側壁１２２の内面側に固着することにより出力端子盤７の取り付けを行っていると共に，この端子盤ケース５０’の下側壁５０ａを，ボンネット１１外側に向かって下向きに傾斜する形状として出力端子盤７の端子７１に外部配線を接続した際に、この外部配線が前記側壁１２２と端子盤ケースの下側壁５０ａとで形成された角部で折れ曲がらないように構成しているために，端子盤ケース５０’が高さ方向に比較的大きな空間を占め，その下方に形成できる開口の大きさも制限されている。
【００２１】
このように，前述のような点検口を形成したとしても，前記発電機本体３の端部カバー３１全体を露出させることができないことから，発電機本体３の端部カバー３１を取り外し，軸受の交換や給脂等の作業を行うためには，発電機本体３の端部カバー３１と対向する前記側壁１２２の全体を取り外す必要があり，結局は前述のように内部配線の取り外しや付け直し等の煩雑な作業が必要となっている。
【００２２】
そこで本発明は，上記従来技術における欠点を解消するためになされたものであり，発電機本体の端部カバーと対向するボンネットの側壁側において，ボンネット外より操作パネルの操作や出力端子盤に対する外部配線の接続を可能とした構成でありながら，前記側壁を内部配線の着脱を行うことなく容易に取り外すことのできるエンジン駆動型発電機を提供することを目的とする。
【課題を解決するための手段】
【００２３】
上記目的を達成するために，本発明のエンジン駆動型発電機１は，発電機本体３及び前記発電機本体３を駆動するエンジン２を載置した基台フレーム１１と，前記基台フレーム１１上において前記エンジン２及び圧縮機本体３を包囲するボンネット１２により構成されたパッケージ１０を備え，前記パッケージ１０内に前記発電機本体３を，該発電機本体３の端部カバー３１が前記ボンネット１２の側壁中の一の側壁１２２と対向するように配置したエンジン駆動型発電機１において，
前記基台フレーム１１より立設された複数の脚部２１と，該脚部２１の上端間に架設された横架材２２によって構成され，前記発電機本体３上を跨ぐ架台２０を前記パッケージ１０内に収容し，
外部配線を接続する接続端子７１を備えた出力端子盤７を，前記発電機本体３の上方において前記架台２０に固着すると共に，前記一の側壁１２２に，前記出力端子盤７が嵌合される開口４２を形成し，
前記一の側壁１２２の，前記開口４２を含む少なくとも下側の部分を，前記ボンネット１２より着脱可能に構成したことを特徴とする（請求項１）。
【００２４】
前記構成のエンジン駆動型発電機１において，前記開口４２の周縁をボンネット１２の内部方向に陥没させて陥没部５０を形成することができる（請求項２）。
【００２５】
また，前記出力端子盤７の下側端７２より突出する舌片７３を設けると共に，ボンネット１２に対する前記一の側壁１２２の取り付け時，前記ボンネット１２２内部側における前記開口４２の下側縁を，シール材７４を介して前記舌片７３に接触させるものとしても良い（請求項３：図３参照）。
【００２６】
なお，前記ボンネット１２の前記発電機本体３の端部カバー３１と対向する側面１２２全体を着脱可能とする場合には，前記架台２０の前記横架材２２上に，前記一の側壁１２２に対向させて操作パネル５を配置し，前記操作パネル５が対向する位置において前記一の側壁１２２に前記操作パネルの形状に対応した形状の開口４１を形成することができる（請求項４）。
【発明の効果】
【００２７】
以上説明した本発明の構成より，本発明のエンジン駆動型発電機１にあっては，前述のように出力端子盤７をボンネット１２の側壁１２２に固着することなく，ボンネット１２内に設けた架台２０に固着したことから，発電機本体３の端部カバー３１と対向するボンネット１２の側壁１２２の少なくとも下側部分を取り外す際に，この出力端子盤７に接続されている内部配線を脱着する必要がなく，発電機本体３の端部カバー３１を容易に露出させることができると共に，端部カバー３１の取り外し作業を行うに十分にスペースを確保することができた。
【００２８】
特に，発電機本体３の端部カバー３１と対向するボンネット１２の側壁１２２に形成した出力端子盤７用の開口４２周縁を陥没させて陥没部５０を設けた構成にあっては，この陥没部５０が出力端子盤７を収容する端子盤ケースとして機能し，しかもこの端子盤ケースである陥没部５０は，ボンネットの前記側壁１２２の取り外しにより同時に除去されることから，別体として設けられた端子盤ケースを架台２０に固定した場合に予測されるように，この端子盤ケースが発電機本体３の端部カバー３１の取り外し等を行う際の弊害物となるおそれもない。
【００２９】
また，前記出力端子盤７の下側端７２より突出する舌片７３を設けると共に，ボンネット１２の前記側壁１２２の取り付け時，ボンネット１２内側における前記開口４２縁を，シール材７４を介して前記舌片７３に接触させる構成を採用することにより，出力端子盤７用の開口４２と出力端子盤７との隙間を介してパッケージ１０内に雨水等が浸入することを好適に防止することができた。
【００３０】
さらに，操作パネル５を前記架台２０上に載置すると共に，前記側壁１２２上の前記操作パネル５の配置位置に対応する位置に，前記操作パネル５の形状に対応して操作パネル５用の開口４２を形成した構成にあっては，操作パネル５についてもボンネット１２の前記側壁１２２に固着されていないことから，ボンネット１２の前記側壁１２２全体を取り外す構成とした場合であっても操作パネル５に接続された内部配線を脱着する必要がなく，容易に前記側壁１２２の取り外しを行うことができた。
【発明を実施するための最良の形態】
【００３１】
次に，本発明の実施形態を添付図面を参照しながら以下詳細に説明する。
【００３２】
〔実施形態１〕
１．エンジン駆動型発電機の全体構成
本発明のエンジン駆動型発電機１が，エンジン２やこのエンジン２によって駆動される発電機本体３，燃料タンク４等のエンジン駆動型発電機１の構成機器をパッケージ１０内に収容した，所謂パッケージ型のエンジン駆動型発電機である点は，前述の従来技術として説明した既知のエンジン駆動型発電機の構成と同様である。
【００３３】
そして，前述のパッケージ１０が，前述のエンジン２や発電機本体３，燃料タンク４等を載置する基台フレーム１１と，この基台フレーム１１の上部を覆い，前記エンジン２や発電機本体３，燃料タンク４等の必要な機器を包囲するボンネット１２により構成されている点，及び，このパッケージ１０内に収容された前述の発電機本体３の端部カバー３１が，ボンネット１２の側壁の一つ１２２に対向した状態で前記パッケージ１０内に収容されている点についても前述した従来技術として説明した既知のエンジン駆動型発電機と同様の構成である。
【００３４】
エンジン駆動型発電機１のパッケージ１０を構成する前述のボンネット１２は，ボンネットの各側面を形成する４枚の側壁と，この側壁の上部に載置された天板とによって構成されており，パッケージ１０を平面視において略長方形状に形成した本実施形態において，以下の説明では，便宜上前記パッケージの長さ方向の一方（本実施形態にあっては図１中の紙面右側）のボンネット側壁１２１を「フロントカバー」，他方（本実施形態にあっては図１中の紙面左側）の側壁１２２を「リヤカバー」，ボンネットの天板を成す部分１２３を「トップカバー」として説明する。
【００３５】
前述の発電機本体３とエンジン２は，エンジン２の出力軸と発電機本体３の入力軸とが連結された状態で前述のボンネット１２の前記フロントカバー１２１とリヤカバー１２２間に並べて配置されており，このうちの発電機本体３をリヤカバー１２２寄りに配置して発電機本体３の端部カバー３１をボンネット１２のリヤカバー１２２に対向させている。
【００３６】
そして，このパッケージ１０の前記リヤカバー１２２側には，該エンジン駆動型発電機１の操作パネル５と，この操作パネル５に対してパッケージ１０の内側に配置された制御盤６が配置されていると共に，前記操作パネル５の下方に位置して配置された出力端子盤７が設けられている。
【００３７】
２．操作パネル及び出力端子盤の取り付け構造
前述の従来技術として説明したエンジン駆動型発電機１にあっては，このリヤカバー１２２に操作パネル用の開口と出力端子盤用の開口をそれぞれ形成し，各開口に面して，前記操作パネル５及び出力端子盤７を前述のリヤカバー１２２の内面に取り付けることにより，ボンネット１２外からの操作パネル５の操作や，出力端子盤７の端子７１に対する外部配線の接続を可能としていたが，本発明のエンジン駆動型発電機１にあっては，リヤカバー１２２側においてボンネット１２外から操作パネル５の操作及び出力端子盤７に設けられた端子７１に対する外部配線の接続が可能であるという利点をそのまま残しつつ，これらの操作パネル５や出力端子盤７をリヤカバー１２２に固着せず，従って，操作パネル５や出力端子盤７に接続された内部配線の着脱を行うことなしにリヤカバー１２２を基台フレーム１１及びトップカバー１２３より取り外すことができるように構成している点で，前述の従来技術として説明したエンジン駆動型発電機の構成とは異なる。
【００３８】
このように，操作パネル５や出力端子盤７をリヤカバー１２２に取り付けることなく，リヤカバー１２２側のパッケージ１０外からの操作パネル５の操作や出力端子盤７に設けられた端子７１に対する外部配線の接続を可能とするために，本実施形態のエンジン駆動型発電機１にあっては，基台フレーム１１上に立設された複数の脚部２１と，この脚部２１上に架設された横架材２２により形成され，前記発電機本体３を跨ぐ下向きコ字状の架台２０を設け（図３参照），この架台２０上にリヤカバー１２２に向けて前述の操作パネル５を載置すると共に，前記発電機本体３の上方位置において前記架台２０に前述の出力端子盤７をリヤカバー１２２に向けて固着している（図２参照）。
【００３９】
そして，前記操作パネル５の載置位置，及び出力端子盤７の固着位置に対応する位置の前記リヤカバー１２２に，操作パネル５及び出力端子盤７の形状に対応した開口４１，４２をそれぞれ設け，リヤカバー１２２を前述の基台フレーム１１及びトップカバー１２３に取り付けた際，リヤカバー１２２に形成された各開口４１，４２を介して，操作パネル５の操作，及び出力端子盤７に対する外部配線の接続を行うことができるように構成した。
【００４０】
図示の実施形態にあっては，前述のリヤカバー１２２に形成された出力端子盤７用の開口４２周縁を，パッケージ１０の内部方向に陥没させた陥没部５０を形成し，リヤカバー１２２を基台フレーム１１及びトップカバー１２３に取り付けた際にこの開口４２内に前記出力端子盤７が嵌合されて，この陥没部５０内で出力端子盤７がボンネット１２外に露出するように構成しており，前述の陥没部５０が出力端子盤を収容する端子盤ケースとなるように構成した。
【００４１】
そして，この陥没部５０の上端部分において，ボンネット１２の外側より前記陥没部（端子盤ケース）５０を覆う扉５１の上端を軸支し，この扉５１の垂直方向の回動によって前記陥没部（端子盤ケース）５０を被蓋し，又は開放することができるように構成した。
【００４２】
この扉５１は，オペレータが出力端子盤７の端子７１を不用意に触ることがないように設けられたもので、端子７１に外部配線を接続する作業の際に扉５１を跳ね上げて陥没部５０を開放状態とし、それ以外のときには陥没部５０を扉で被蓋した状態としている。  図示の実施形態にあっては，前述のリヤカバー１２２に設けた陥没部５０中，下側壁５０ａがパッケージ１０の外側に向かって下向きに傾斜する構造を成し，出力端子盤７の端子７１に外部配線を接続した際に、この外部配線がリヤカバー１２２と陥没部５０中の下側壁５０ａとで形成された角部で折れ曲がらないように構成している。
【００４３】
また，出力端子盤７の下側端７２には，前記陥没部５０の下側壁５０ａと同方向に傾斜して突出した舌片７３を設け，この舌片７３と前記開口４２の周縁とをシール材７４を介して接触させることにより，この部分を介して雨水等がパッケージ１０内に浸入することを防止している。
【００４４】
なお，前述の操作パネル５の配置位置に対応してリヤカバー１２２に形成された開口４１には，この開口４１部分を開閉する扉６０を設け，この扉６０を開放することにより前記操作パネル５用開口４１を介して操作パネル５の操作等を行うことができるように構成している。
【００４５】
３．作用
以上のように構成された本発明のエンジン駆動型発電機１にあっては，前述のように発電機本体３の端部カバー３１が対向するボンネット１２の側壁（リヤカバー）１２２に対して，操作パネル５及び出力端子盤７のいずれもが固着されていないため，リヤカバー１２２を基台フレーム１１及びトップカバー１２３より取り外す際，操作パネル５及び出力端子盤７より独立して取り外すことが可能である。
【００４６】
その結果，リヤカバー１２２の着脱に際し，内部配線の脱着を行う必要がなく比較的簡易な作業によって発電機本体３の端部カバー３１を露出させることが可能であった。
【００４７】
また，架台２０に対する出力端子盤７の取り付け位置に対応して，リヤカバー１２２に形成した開口４２周縁を陥没させて形成した陥没部５０を端子盤ケースとし，この中に出力端子盤７を収容することで，端子盤ケースである陥没部５０はリヤカバーを取り外すことにより同時に除去することができることから，別体として形成した端子盤ケースを例えば架台２０に固着する場合のように，端子盤ケースが発電機本体３のメンテナンス等を行うに際して障害となることもない。
【００４８】
その結果，リヤカバー１２２を取り外すだけで比較的大きな開口部を形成することができ，この開口部を介して発電機本体３のメンテナンスを行うことが可能である。
【００４９】
〔実施形態２〕
次に，本発明の別の実施形態を図５を参照しながら以下説明する。
【００５０】
前述の図１〜図４を参照して説明した実施形態１のエンジン駆動型発電機１にあっては，発電機本体３の端部カバー３１を露出させるために，この発電機本体３の端部カバー３１と対向するボンネット１２の側壁（リヤカバー）１２２の全体を取り外し可能とした例について説明したが，本実施形態のエンジン駆動型発電機１にあっては，リヤカバー１２２を上部リヤカバー１２２ａと下部リヤカバー１２２ｂに二分し，下部リヤカバー１２２ｂを取り外すことにより発電機本体３の端部カバー３１を機外に露出させることができるように構成した点において前述した実施形態１のエンジン駆動型発電機とは異なる。
【００５１】
その他の構成については，図１〜図４を参照して説明した前述の実施形態１と同様である。
【００５２】
なお，図示の例では，図１〜図４を参照して説明した実施形態１と同様，操作パネル５を架台２０上に載置して，リヤカバー１２２（上部リヤカバー１２２ａ）に固着することは行っていないが，本実施形態のように，リヤカバー１２２を上下に二分して下部リヤカバー１２２ｂのみを独立して着脱を可能とした構成にあっては，従来技術として説明したエンジン駆動型発電機と同様，操作パネル５をリヤカバー１２２（上部リヤカバー１２２ａ）に固着した構成としても良い。
【００５３】
このように，本実施形態にあっては下部リヤカバー１２２ｂを，上部リヤカバー１２２ａより分離して着脱可能とするために，出力端子盤７用の開口４２形成位置を含むリヤカバー１２２の下側部分を下部リヤカバー１２２ｂとして，操作パネル５用の開口４１の形成位置を含む上部リヤカバー１２２ａとは分割して形成している。
【００５４】
以上のように構成された本実施形態のエンジン駆動型発電機１にあっては，発電機本体３の端部カバー３１が対向するボンネットの側壁（リヤカバー）１２２を上下に二分割したことにより，下部リヤカバー１２２ｂのみを上部リヤカバー１２２ａとは別に取り外すことが可能である。
【００５５】
そして，この下部リヤカバー１２２ｂを取り外すことにより発電機本体３の端部カバー３１の全体を露出させることができ，前述した実施形態１のようにリヤカバー１２２の全体を外す場合に比較して，取り外し作業が容易である。
【図面の簡単な説明】
【００５６】
【図１】本発明のエンジン駆動型発電機の正面透視図。
【図２】図１のリヤカバー部分の拡大図。
【図３】本発明のエンジン駆動型発電機の左側面透視図。
【図４】リヤカバーの取り外し状態を示す説明図。
【図５】下部リヤカバーの取り外し状態を示す説明図。
【図６】リヤカバーに対する操作パネル及び出力端子盤の取り付け状態の説明図（従来）。
【符号の説明】
【００５７】
１  エンジン駆動型発電機
２  エンジン
３  発電機本体
３１  端部カバー
３２  吸気口
４  燃料タンク
５  操作パネル
６  制御盤
７  出力端子盤
７１  端子
７２  下側端（出力端子盤の）
７３  舌片
７４  シール材
１０  パッケージ
１１  基台フレーム
１２  ボンネット
１２１  フロントカバー
１２２  リヤカバー
１２２ａ  上部リヤカバー
１２２ｂ  下部リヤカバー
１２３  トップカバー
２０  架台
２１  脚部
２２  横架材
４１  開口（操作パネル用）
４２  開口（出力端子盤用）
５０  陥没部（端子盤ケース）
５０ａ  下側壁（陥没部の）
５０’  端子盤ケース
５１  扉（陥没部閉塞用）
６０  扉(操作パネル用開口閉塞用)
【図１】
2007267546.tif 000003
【図２】
2007267546.tif 000004
【図３】
2007267546.tif 000005
【図４】
2007267546.tif 000006
【図５】
2007267546.tif 000007
【図６】
2007267546.tif 000008